(57)【要約】      （修正有）【課題】衿姿を美しくすると共に、美しい衿姿が容易に崩れないようにできる着物と襦袢の着付け構造を提供する。【解決手段】半襦袢Ｂ１の外側において人の胸部に巻回して固定される巻回ベルトＶ１と、巻回ベルトＶ１に対して直交配置されて、上端部および下端部が、それぞれ半襦袢の表側の後衿部１４ａの近傍、及び巻回ベルトに連結される襦袢連結ベルトＶ２と、巻回ベルトＶ１に対して直交配置されて、上端部が上衣Ａ１の裏側の後衿部４ａの近傍に着脱可能に連結され、下端部が巻回ベルト又は襦袢連結ベルトの下端部に連結される着物連結ベルトＶ３とを備える。襦袢連結ベルト、巻回ベルト、及び着物連結ベルトを介して、上衣及び半襦袢の各後衿部が人体に対して独立して拘束されることで、各後衿部の上下方向の相対位置が一定に確保される。【選択図】図８
0003192335.tif 000002
【実用新案登録請求の範囲】
【請求項１】
着物と襦袢との着付け構造であって、
襦袢の外側において人の胸部に巻回して固定される巻回ベルトと、
前記巻回ベルトに対して直交配置されて、上端部及び下端部が、それぞれ襦袢の表側の後衿部近傍、及び前記巻回ベルトに連結される襦袢連結ベルトと、
前記巻回ベルトに対して直交配置されて、上端部が着物の裏側の後衿部近傍に着脱可能に連結されると共に、下端部が前記巻回ベルト又は前記襦袢連結ベルトの下端部に連結される着物連結ベルトと、
を備え、
前記襦袢連結ベルト、巻回ベルト、及び着物連結ベルトを介して、着物及び襦袢の各後衿部が人体に対して独立して拘束されることで、着物と襦袢の各後衿部の上下方向の相対位置が一定に確保される構成であることを特徴とする着物と襦袢の着付け構造。
【請求項２】
前記着物連結ベルトと襦袢連結ベルトは、１本のベルト体を２つ折りにして重ね合せて、折返し部が一体に縫着されることで形成される重ね合せ状態の２つの部分で形成されて、
前記巻回ベルトを巻回した状態で、前記ベルト体を２つ折りにした各部分の間に当該巻回ベルトが配置されて、２つ折りにした前記ベルト体の襦袢連結ベルトとなる部分が当該巻回ベルトに対して一体に縫着されていることを特徴とする請求項１に記載の着物と襦袢の着付け構造。
【請求項３】
前記襦袢連結ベルトの上端部は、襦袢の表側の後衿部近傍に対して着脱可能に連結されることを特徴とする請求項２に記載の着物と襦袢の着付け構造。
【請求項４】
請求項３に記載の着物と襦袢の着付け構造に使用される衿姿保形具であって、
襦袢の外側において人の胸部に巻回して固定される巻回ベルトと、
１本のベルト体を２つ折りにして重ね合せて、折返し部が一体に縫着されることで形成される重ね合せ状態の２つの部分で形成される襦袢及び着物の各連結ベルトとから成り、
前記巻回ベルトを巻回した状態で、前記ベルト体を２つ折りにした襦袢及び着物の各連結ベルトの間に当該巻回ベルトが配置されて、２つ折りにした前記ベルト体の襦袢連結ベルトとなる部分が当該巻回ベルトに対して一体に縫着され、
前記襦袢連結ベルトの上端部は、襦袢の表側の後衿部近傍に着脱可能に連結される構成であることを特徴とする衿姿保形具。
【考案の詳細な説明】
【技術分野】
【０００１】
本考案は、着物と襦袢の各後衿の部分を人体に対して拘束させることで衿元の姿（衿姿）を良好に保つと共に、良好な衿姿が容易に崩れないようにした着物と襦袢の着付け構造、及び衿姿保形具に関するものである。
【背景技術】
【０００２】
着物（和服）の着付けの最も重要なことは、衿元の姿を美しくすることであって、具体的には、着物と襦袢の各衣紋抜きの程度等の各衿元の関係が整っていることは、美しい着付けに不可欠である。
【０００３】
着物に対して最適なサイズの襦袢を選択し、衿元が良好となるように着付けしても、着用された着物と襦袢は互いに非拘束の状態となっているため、人の様々な動作によって、着物と襦袢の各部位は、元の着姿に対してそれぞれ独立してずれてしまう。
【０００４】
このため、着崩れにより、着物の衣紋抜きの程度が小さくなって、衿が首に近くなったり、着物と襦袢の各衿の上下方向に位置関係がずれて、着物の後衿部に対して襦袢の後衿部が奥に入り込み過ぎたり、或いは、逆に、着物の後衿部に対して襦袢の後衿部が高くなって、襦袢の後衿部がはっきり見えたりすることで、更には、着物の衣紋抜きの程度に対して襦袢の衣紋抜きの程度が小さくなって、襦袢の後衿部が見えたりすることで、着崩れが顕著となる。
【０００５】
特許文献１には、上記した和服の着付けに際して、襦袢の衿元が崩れるのを防止する着付け補助具が開示されている。しかし、特許文献１に開示の着付け補助具は、長襦袢の後衿部の位置を固定して、衿姿を保形するものである。
【０００６】
しかし、長襦袢の後衿部の位置が固定されていても、その上に着用する着物の後衿部は、長襦袢の後衿部に対して非拘束の関係になっているため、特許文献１に開示の着付け補助具では、長襦袢の上に着物を着用した状態において、着物の後衿部の位置の固定、及び着物と長襦袢の各後衿部の相対位置の関係を一定に保持することはできない。
【先行技術文献】
【特許文献】
【０００７】
【特許文献１】特開平１０−３７００２号公報
【考案の概要】
【考案が解決しようとする課題】
【０００８】
本考案は、着物と襦袢の各後衿部を人体に対して独立して拘束して、襦袢及び着物の各後衿部の上下方向に沿った相対位置を一定にすることで、着物及び襦袢の各後衿部の衣紋抜きの程度、及び各後衿部の重なり具合を一定にして、衿姿を美しくすると共に、美しい衿姿が容易に崩れないようにすることを課題としている。
【課題を解決するための手段】
【０００９】
上記課題を解決するための請求項１の考案は、着物と襦袢との着付け構造であって、襦袢の外側において人の胸部に巻回して固定される巻回ベルトと、前記巻回ベルトに対して直交配置されて、上端部及び下端部が、それぞれ襦袢の表側の後衿部近傍、及び前記巻回ベルトに連結される襦袢連結ベルトと、前記巻回ベルトに対して直交配置されて、上端部が着物の裏側の後衿部近傍に着脱可能に連結されると共に、下端部が前記巻回ベルト又は前記襦袢連結ベルトの下端部に連結される着物連結ベルトとを備え、前記襦袢連結ベルト、巻回ベルト、及び着物連結ベルトを介して、着物及び襦袢の各後衿部が人体に対して独立して拘束されることで、着物と襦袢の各後衿部の上下方向の相対位置が一定に確保される構成であることを特徴としている。
【００１０】
請求項１の考案においては、肌襦袢の上に襦袢を着用した後に、巻回ベルトを人体の胸部に巻回して固定すると、当該巻回ベルトと襦袢の表側の後衿部近傍とは、襦袢連結ベルトにより連結されているため、当該襦袢連結ベルトの弛みをなくした状態では、襦袢の後衿部の配置位置である衣紋抜きの程度が最適に定められるようになっている。次に、固定ベルト又は襦袢連結ベルトに下端部が連結された着物連結ベルトの上端部を、着物の裏側の後衿部近傍に連結した状態で、襦袢の上に着物を着用して、着物連結ベルトの弛みをなくすと、襦袢の後衿部に対する着物の後衿部の上下方向の配置位置による両後衿部の重なり具合が最適に定められるようになっている。
【００１１】
このように、請求項１の考案によれば、襦袢連結ベルトの上端部及び下端部が、それぞれ襦袢の表側の後衿部近傍、及び人体に対して固定されている巻回ベルトに連結されているために、当該襦袢連結ベルトにより、衣紋抜きの程度を含む人体に対する襦袢の後衿部の配置位置が定められる。一方、襦袢の上に着用される着物の裏側の後衿部近傍と、人体に対して固定されている巻回ベルト又は前記襦袢連結ベルトの下端部とは、着物連結ベルトを介して連結されているため、人体に対する着物の後衿部の配置位置が定められる。その結果、人体に対して固定された巻回ベルト、襦袢連結ベルト及び着物連結ベルトを介して、着物及び襦袢の各後衿部が人体に対して独立して拘束されて、着物と襦袢の各後衿部の上下方向の相対位置が一定に確保されることで、人の種々の行動によっても、着物と襦袢の各後衿部の上下方向の相対位置を不変にできて、各後衿部の衣紋抜きの程度、及び各後衿部の上下方向及び前後方向の重なり具合を最適にできるので、着物と襦袢の各後衿部は、着付け当初の美しい姿を保持できる。
【００１２】
例えば、着物連結ベルトが弛むことで、襦袢の後衿部に対して着物の後衿部が着付け当初の位置よりも下がって、襦袢の後衿部が視認できる状態になった場合には、人体の胸部に巻回されている巻回ベルトを下方に押し下げると、着物連結ベルトの弛みが解消されて、襦袢と着物の各後衿部の上下方向に沿った相対位置が着付け当初の位置に戻されて、襦袢と着物の各後衿部の上下方向に沿った相対位置を含む各衿姿を着付け当初の美しい状態に戻すことができる。
【００１３】
請求項２の考案は、請求項１の考案において、前記着物連結ベルトと襦袢連結ベルトは、１本のベルト体を２つ折りにして重ね合せて、折返し部が一体に縫着されることで形成される重ね合せ状態の２つの部分で形成されて、前記巻回ベルトを巻回した状態で、前記ベルト体を２つ折りにした各部分の間に当該巻回ベルトが配置されて、２つ折りにした前記ベルト体の襦袢連結ベルトとなる部分が当該巻回ベルトに対して一体に縫着されていることを特徴としている。
【００１４】
請求項２の考案によれば、着物連結ベルトと襦袢連結ベルトは、１本のベルト体を２つ折りにして重ね合せて、折返し部が一体に縫着されることで形成される重ね合せ状態の２つの部分で形成されているため、巻回ベルトと、襦袢及び着物の各連結ベルトとで構成される衿姿保形具の構成が簡単となる。
【００１５】
請求項３の考案は、請求項２の考案において、前記襦袢連結ベルトの上端部は、襦袢の表側の後衿部近傍に対して着脱可能に連結されることを特徴としている。
【００１６】
請求項３の考案によれば、巻回ベルトと、襦袢及び着物の各連結ベルトとで構成される衿姿保形具を襦袢から分離させられるので、必要な場合にのみ、当該衿姿保形具を使用することができる。
【００１７】
請求項４の考案は、請求項３に記載の着物と襦袢の着付け構造に使用される衿姿保形具であって、襦袢の外側において人の胸部に巻回して固定される巻回ベルトと、１本のベルト体を２つ折りにして重ね合せて、折返し部が一体に縫着されることで形成される重ね合せ状態の２つの部分で形成される襦袢及び着物の各連結ベルトとから成り、前記巻回ベルトを巻回した状態で、前記ベルト体を２つ折りにした襦袢及び着物の各連結ベルトの間に当該巻回ベルトが配置されて、２つ折りにした前記ベルト体の襦袢連結ベルトとなる部分が当該巻回ベルトに対して一体に縫着され、前記襦袢連結ベルトの上端部は、襦袢の表側の後衿部近傍に着脱可能に連結される構成であることを特徴としている。
【００１８】
請求項４の考案は、請求項３の考案を衿姿保形具の面から把握して表現したものであって、請求項２の考案と実質的には同一である。
【考案の効果】
【００１９】
本考案に係る着物と襦袢の着付け構造によれば、人体に対して固定された巻回ベルト、襦袢連結ベルト及び着物連結ベルトを介して、着物及び襦袢の各後衿部が人体に対して独立して拘束されて、着物と襦袢の各後衿部の上下方向の相対位置が一定に確保されることで、人の種々の行動によっても、着物と襦袢の各後衿部の上下方向の相対位置を不変にできて、各後衿部の衣紋抜きの程度、及び各後衿部の上下方向及び前後方向の重なり具合を最適にできるので、着物と襦袢の各後衿部は、予め定めた通りの美しい衿姿を保持できると共に、この美しい衿姿は容易に崩されない。
【図面の簡単な説明】
【００２０】
【図１】（ａ），（ｂ）は、それぞれ二部式着物Ａの上衣Ａ1 の正面図及び背面図である。
【図２】（ａ），（ｂ）は、それぞれ本考案に係る衿姿保形具Ｍが半襦袢Ｂ1 の後身頃１２の部分に配置された半襦袢Ｂ1 の正面図及び背面図である。
【図３】（ａ），（ｂ）は、それぞれ本考案に係る衿姿保形具Ｍの展開状態の正面図及び背面図である。
【図４】衿姿保形具Ｍの着物連結ベルトＶ3 の先端部が、二部式着物Ａの上衣Ａ1 の裏面側の後衿部４ａの近傍に連結された状態を示す図である。
【図５】襦袢Ｂの着用状態において、半襦袢Ｂ1 に対して襦袢及び着物の各連結ベルトＶ2 ，Ｖ3 を介して連結された二部式着物Ａの上衣Ａ1 を着用する状態を背中側から見た斜視図である。
【図６】半襦袢Ｂ1 に対して二部式着物Ａの上衣Ａ1 が垂れ下がった状態の側面図である。
【図７】半襦袢Ｂ1 に対して二部式着物Ａの上衣Ａ1 を持ち上げて着用する直前の状態の側面図である。
【図８】半襦袢Ｂ1 の上に上衣Ａ1 を着用した状態において、半襦袢Ｂ1 及び上衣Ａ1 の各後衿部４ａ，１４ａ及び衿姿保形具Ｍを主体に示す側面模式図である。
【図９】半襦袢Ｂ1 と上衣Ａ1 の各後衿部４ａ，１４ａの上下方向に沿った相対位置が不変であることを説明するために、各後衿部４ａ，１４ａを前後方向に沿って離間させた状態の側面模式図である。
【図１０】（ａ），（ｂ）は、それぞれ襦袢Ｂを構成する半襦袢Ｂ1 及び裾よけＢ2 を着用した状態の正面図及び背面図である。
【考案を実施するための形態】
【００２１】
以下、実施例を挙げて、本考案について更に詳細に説明する。
【００２２】
図１〜図７において、着物は、二部式着物Ａであって、上衣Ａ1 と下衣（図示せず）とから成り、襦袢Ｂは、二部式着物Ａとほぼ同一形状をなしていて、半襦袢Ｂ1 と裾よけＢ2 とから成る。上衣Ａ1 は、図１に示されるように、左右の前身頃１、左右の後身頃２、左右の袖３を有し、左右の前身頃１の内側の各端縁から、左右の各後身頃の上端縁に至る部分には、衿４が形成されている。上下方向に沿って衿４の後衿部４ａと左右の後身頃２とが交差する部分であって、しかも左右方向に沿って背中心線５と交差する部分の内側には、後述の着物連結ベルトＶ3 の先端部に装着された連結フックＦの横フック部Ｆａが挿通可能な連結部６が一体に縫着されている。連結部６は、所定幅の２枚の布を折り返して、両端縁の側を上記部分に縫着することで、左右両端縁において開口して、横断面視でループ状に形成されている。
【００２３】
襦袢Ｂを構成する半襦袢Ｂ1 は、図２に示されるように、左右の前身頃１１、左右の後身頃１２、左右の袖１３及び衿１４を備えていて、左右の後身頃１２の外側に衿姿保形具Ｍが配置されて、当該衿姿保形具Ｍを構成する襦袢連結ベルトＶ2 の上端部が、前記連結部６の縫着部と対応する部分に一体に縫着され、図２、図５、図６〜図９において、１６は、当該一体縫着部を示す。
【００２４】
衿姿保形具Ｍは、図２〜図６に示されるように、半襦袢Ｂ1 の外側において人体の胸部の部分に巻回されて固定される巻回ベルトＶ1 と、当該巻回ベルトＶ1 に対して直交配置されて、上端部が半襦袢Ｂ1 の外側における前記上衣Ａ1 の連結部６に相当する部分に一体に縫着されると共に、下端部が当該巻回ベルトＶ1 に一体に縫着された襦袢連結ベルトＶ2 と、前記巻回ベルトＶ1 に対して直交配置されて、下端部が前記襦袢連結ベルトＶ2 の下端部に一体に連結されると共に、上端部に装着された連結フックＦの横フック部Ｆａが、上衣Ａ1 の連結部６に挿通されて、上衣Ａ1 の内側における後衿部４ａと後身頃２の境界部に連結される着物連結ベルトＶ3 とから成る。
【００２５】
巻回ベルトＶ1 は、襦袢及び着物の各連結ベルトＶ2 ，Ｖ3 の幅に対して数倍の幅を有していて、各ベルトＶ1 〜Ｖ3 は、いずれも半襦袢Ｂ1 の布地に近似した布地で形成されている。実施例の衿姿保形具Ｍは、図４、図５、図８及び図９に図示されているように、襦袢及び着物の各連結ベルトＶ2 ，Ｖ3 は、全体が１本のベルト体で構成されて、巻回状態において巻回ベルトＶ1 の内側に襦袢連結ベルトＶ2 となる部分を配置して、当該巻回ベルトＶ1 の下端縁よりも僅かに下方の部分において、１本のベルトを折り返して、巻回ベルトＶ1 の外側に配置される部分が着物連結ベルトＶ3 である。１本のベルト体の折返し部は、互いに縫着Ｓされて、折り返しを確実にしている。
【００２６】
巻回ベルトＶ1 の長手方向の両端部の互いに反対側となる部分には、それぞれ係止テープ２１，２２が一体に設けられている。係止テープ２１，２２は、ベース布地に無数の係止片が植毛された構成であって、各係止テープ２１，２２の無数の係止片が、相手方の係止片の間に入り込んで係止する構造である。よって、着用した半襦袢Ｂ1 の外側において人体の胸部に当該巻回ベルトＶ1 を巻回した状態で、手前側において、各係止テープ２１，２２を密着させると、互いに無数の係止片が係止することで、巻回ベルトＶ1 の両端部が連結されて、当該巻回ベルトＶ1 は、半襦袢Ｂ1 の外側において人体に固定された状態となる。なお、一方の係止テープ２１は、人の胸囲の差に対応可能なように、他方の係止テープ２２に比較して長手方向に沿って長く形成されている。
【００２７】
連結フックＦは、樹脂製であって、偏平ループ状をしたループ部Ｆｂとの間に僅かの間隔をおいて、弾性変形可能な１本棒状の横フック部Ｆａが一体に設けられた構成である。
【００２８】
次に、本考案に係る着付け構造を有する着物Ａ及び襦袢Ｂの着付け（着用）について説明する。まず、図５、図６及び図１０に示されるように、肌襦袢（図示せず）の上に、衿姿保形具Ｍが連結されている半襦袢Ｂ1 及び裾よけＢ2 を着用する。その後に、衿姿保形具Ｍの巻回ベルトＶ1 の両端部に設けられた係止テープ２１，２２を用いて、当該巻回ベルトＶ1 の両端部を人体の前側において互いに連結した後に、連結フックＦの横フック部Ｆａを、二部式着物Ａの上衣Ａ1 の後衿部４ａの近傍に設けられた連結部６に挿通することで、着物連結ベルトＶ3 の上端部となる部分を上衣Ａ1 に連結する。この状態で、人体の背中側において上衣Ａ1 を垂れ下げると、当該上衣Ａ1 の自重は、襦袢及び着物の各連結ベルトＶ2 ，Ｖ3 を介して半襦袢Ｂ1 の後衿部１４ａの近傍に作用するために、襦袢連結ベルトＶ2 の長さに対応した分だけ、半襦袢Ｂ1 の後衿部１４ａが抜ける（衣紋抜きされる）。即ち、半襦袢Ｂ1 の後衿部１４ａは、巻回ベルトＶ1 及び襦袢連結ベルトＶ2 を介して間接的に人体に固定された状態となり、しかも半襦袢Ｂ1 の後衿部１４ａの位置である衣紋抜きの程度は、襦袢連結ベルトＶ2 の予め定められた長さにより、最適な程度に決定される。なお、図５〜図７及び図１０において、１７は、半襦袢Ｂ1 の下端部を締めている紐を示す。
【００２９】
この状態で、半襦袢Ｂ1 の上に二部式着物Ａの上衣Ａ1 を着用すると、図７〜図９に示されるように、上衣Ａ1 の後衿部４ａは、上記した半襦袢Ｂ1 の後衿部１４ａと同様にして、巻回ベルトＶ1 及び着物連結ベルトＶ3 を介して間接的に人体に固定された状態となり、上衣Ａ1 の後衿部４ａの位置である衣紋抜きの程度は、着物連結ベルトＶ3 の予め定められた長さにより、最適な程度に決定される。
【００３０】
これにより、半襦袢Ｂ1 の後衿部１４ａ、及び上衣Ａ1 の後衿部４ａは、それぞれ巻回ベルトＶ1 及び襦袢連結ベルトＶ2 、並びに巻回ベルトＶ1 及び着物連結ベルトＶ3 を介して人体に間接的に連結されて、半襦袢Ｂ1 の後衿部１４ａ、及び上衣Ａ1 の後衿部４ａの各衣紋抜きの程度は、襦袢及び着物の各連結ベルトＶ2 ，Ｖ3 の長さにより必然的に定められるため、半襦袢Ｂ1 の後衿部１４ａ、及び上衣Ａ1 の後衿部４ａの上下方向及び前後方向に沿った相対位置がそれぞれ定められる。その結果、半襦袢Ｂ1 の後衿部１４ａが上衣Ａ1 の後衿部４ａに対して僅かに下がった状態となり、しかも人体の種々の動きに対してもこの状態が維持される。
【００３１】
このように、半襦袢Ｂ1 の後衿部１４ａ、及び上衣Ａ1 の後衿部４ａは、衿姿保形具Ｍを構成する巻回ベルトＶ1 、襦袢連結ベルトＶ2 、及び着物連結ベルトＶ3 を介して互いに拘束された状態となるために、各後衿部１４ａ，４ａの上下方向及び前後方向に沿った各相対位置が保持され、衿元が崩れなくなって、美しい衿姿、ひいては二部式着物Ａの着姿が保持される。
【００３２】
一方、図９に示されるように、衿姿保形具Ｍの着用の不具合、例えば、襦袢及び着物の各連結ベルトＶ2 ，Ｖ3 に僅かの弛みが生じた状態で、半襦袢Ｂ1 及び二部式着物Ａの上衣Ａ1 を着用した場合には、半襦袢Ｂ1 の後衿部１４ａ、及び上衣Ａ1 の後衿部４ａの衣紋抜きの程度が小さくなって、半襦袢Ｂ1 の後衿部１４ａが上衣Ａ1 の後衿部４ａよりも僅かに上方に突出してしまうことがある。この場合には、巻回ベルトＶ1 を下方に押し下げると、襦袢及び着物の各連結ベルトＶ2 ，Ｖ3 の各弛みが解消されることで、図８に示されるように、半襦袢Ｂ1 の後衿部１４ａ及び上衣Ａ1 の後衿部４ａの上下方向、及び前後方向の各相対位置は、襦袢及び着物の各連結ベルトＶ2 ，Ｖ3 の各長さにより必然的に定められて、最も適正な位置が確保されて、半襦袢Ｂ1 の後衿部１４ａ及び上衣Ａ1 の後衿部４ａの各衣紋抜きの程度は最適となる。
【００３３】
上記実施例は、衿姿保形具Ｍを構成する襦袢連結ベルトＶ2 の上端部は、半襦袢Ｂ1 の後衿部１４ａの近傍に一体に縫着されて、衿姿保形具Ｍは、常時使用される使用態様であるが、襦袢連結ベルトＶ2 の上端部に上記した連結フックＦを装着して、当該襦袢連結ベルトＶ2 の上端部を、半襦袢Ｂ1 の後衿部１４ａの近傍に対して着脱可能な構成とすると、衿姿保形具Ｍは、必要な場合のみに使用することができると共に、衿姿保形具Ｍのみの販売も可能となる。
【００３４】
本考案に係る襦袢連結ベルトＶ2 を使用する場合においては、襦袢及び着物に対しては、衿姿保形具Ｍを構成する襦袢及び着物の各連結ベルトＶ2 ，Ｖ3 の先端部に装着された連結フックＦを連結可能にするために、横断面視でループ状となるように布地を二つ折りにした連結布部を、襦袢及び着物の各後衿部の近傍に縫着するのみでよい。従って、新規の襦袢及び着物のみならず、既存の襦袢及び着物に対しても実施可能である。
【００３５】
上記実施例の衿姿保形具Ｍは、１本状のベルト体を二つ折りにして、その間に巻回ベルトＶ1 を配置して、二つ折りにした１本状のベルト体のうち内側の襦袢連結ベルトＶ2 の下端部を巻回ベルトＶ1 に縫着することで、巻回ベルトＶ1 の外側に着物連結ベルトＶ3 を配置することで、当該着物連結ベルトＶ3 の長さを襦袢連結ベルトＶ2 よりも長くできて、着物の着用時において、着物連結ベルトＶ3 により拘束の程度を小さくできる利点がある。しかし、衿姿保形具Ｍは、上記実施例に限定されるものではなく、人体の胸部に巻回される巻回ベルトＶ1 と、当該巻回ベルトＶ1 に対して直交配置される襦袢連結ベルトＶ2 及び着物連結ベルトＶ3 との計３種類のベルトを備えておれば、相互の各ベルトＶ1 〜Ｖ3 の連結関係（連結構造）は、いかなる構成であってもよい。例えば、襦袢及び着物の各連結ベルトＶ2 ，Ｖ3 は、２本のベルトを巻回ベルトＶ1 に対して個別に縫着した構成であってもよい。
【００３６】
本考案の実施対象の襦袢は、長襦袢であってもよく、着物は、上衣と下衣とが一体のものであってもよい。
【符号の説明】
【００３７】
Ａ：二部式着物
Ａ1 ：二部式着物の上衣
Ｂ：襦袢
Ｂ1 ：半襦袢
Ｍ：衿姿保形具
Ｖ1 ：巻回ベルト
Ｖ2 ：襦袢連結ベルト
Ｖ3 ：着物連結ベルト
４：上衣の衿
４ａ：上衣の衿の後衿部
１４：半襦袢の衿
１４ａ：半襦袢の衿の後衿部
【図１】
0003192335.tif 000003
【図２】
0003192335.tif 000004
【図３】
0003192335.tif 000005
【図４】
0003192335.tif 000006
【図５】
0003192335.tif 000007
【図６】
0003192335.tif 000008
【図７】
0003192335.tif 000009
【図８】
0003192335.tif 000010
【図９】
0003192335.tif 000011
【図１０】
0003192335.tif 000012